(57)【要約】【課題】丈夫でかつ製造コストを抑えられる締緩工具用ソケットを提供する。【解決手段】本発明の締緩工具用ソケットは、ソケット部と補強リングとを有する。ソケット部は工具接続部と留め具受容部とを有する。工具接続部は締緩工具の回転部と嵌合する回転部受容口を有する。留め具受容部は留め具と嵌合する留め具受容口を有する。補強リングはソケット部の留め具受容部に嵌められる。補強リングとソケット部とはそれぞれかみ合う嵌合部を有することが好ましい。ソケット部と補強リングとは異なる二種類の金属材質からなることが好ましい。【選択図】図１
2011093088.tif 000002
【特許請求の範囲】
【請求項１】
非円形の回転部を有し、留め具を回す締緩工具に用いられるソケットにおいて、
金属製のソケット部であって、
前記締緩工具の前記回転部と嵌合して、前記回転部と共に回転可能とする回転部受容口を有する工具接続部と、
前記留め具と嵌合して、前記留め具と共に回転可能とする留め具受容口を有する留め具受容部とを有するソケット部と、
前記ソケット部の前記留め具受容部に外嵌される金属製の補強リングとを備えたことを特徴とする締緩工具用ソケット。
【請求項２】
前記ソケット部と前記補強リングとは、それぞれかみ合う嵌合面を有することを特徴とする請求項１記載の締緩工具用ソケット。
【請求項３】
前記ソケット部の前記留め具受容部は、径方向の外側に広がる環状の大ショルダー面を形成するフランジと、前記大ショルダー面と対面する環状の小ショルダー面を形成する円錐台形状中間部を有し、
前記補強リングは、その端部が前記大ショルダー面に当接し、前記補強リングは、前記ソケット部の前記円錐台形状中間部と嵌合する、円錐台形状の中間部を画成する中央孔を有し、この中央孔の前記円錐台形状中間部の終端を定める環状のショルダー面であって、前記ソケット部の小ショルダー面に当接して当該補強リングが前記ソケット部から脱落することを防ぐ環状のショルダー面を有することを特徴とする請求項１記載の締緩工具用ソケット。
【請求項４】
前記補強リングは、前記中央孔のうち、前記ソケット部の前記大ショルダー面に近い側の内側端部を定める円錐台形状のガイド面を有し、前記中央孔の前記内側端部は前記大ショルダー面に近づくにつれて徐々にその直径が大きくなるように形成され、前記補強リングが前記ソケット部の前記留め具受容部に外嵌しやすくしていることを特徴とする請求項３記載の締緩工具用ソケット。
【請求項５】
前記ソケット部の前記留め具受容部の前記円錐台形状中間部は、前記大ショルダー面に近づくにつれて徐々にその直径が大きくなるように形成されていることを特徴とする請求項３記載の締緩工具用ソケット。
【請求項６】
前記小ショルダー面は、前記ソケット部の前記留め具受容部の前記円錐台形状中間部の大ショルダー面から離れた側の端部に設けられたことを特徴とする請求項５記載の締緩工具用ソケット。
【請求項７】
前記小ショルダー面は、前記ソケット部の前記留め具受容部の前記円錐台形状中間部の大ショルダー面側端部に設けられたことを特徴とする請求項５記載の締緩工具用ソケット。
【請求項８】
前記補強リングと前記ソケット部とは、それぞれ別の金属材質からなることを特徴とする請求項１記載の締緩工具用ソケット。
【請求項９】
前記ソケット部の前記留め具受容部の前記円錐台形状中間部の軸方向の長さは、０．０５ｍｍから０．１ｍｍの間にあることを特徴とする請求項３記載の締緩工具用ソケット。
【請求項１０】
前記締緩工具の回転部は、ばねによって付勢されたボールを備え、前記ソケット部の前記工具接続部は、その外表面に前記付勢されたボールを受容するためのボール受容口を少なくとも一つ備えたことを特徴とする請求項１記載の締緩工具用ソケット。
【発明の詳細な説明】
【技術分野】
【０００１】
本発明は締緩工具用のソケットに関する。
【背景技術】
【０００２】
従来のソケットレンチなどの締緩工具に用いられるソケットは図８に示すように、非円形状の回転部受容口１１を有し、締緩工具１０１の回転部１０２と嵌合するようになっている。そして、非円形状の留め具受容口１２がボルト１０３と嵌合する。締緩工具１０１には、ばねによって付勢されたボール１０４が回転部１０２に設けられている。このような従来の締緩工具１０１とソケット１には以下のような問題があった。すなわち、長期間の使用によって、留め具受容口１２を形成しているソケットの内表面の角の部分が容易に損耗してしまう。この問題を解決するために、ソケット１を高硬度の材質で作ることも可能であるが、ソケット１の製造コストの増大につながる。
【先行技術文献】
【特許文献】
【０００３】
【特許文献１】台湾実用新案公告第１４１８７０号明細書
【発明の概要】
【発明が解決しようとする課題】
【０００４】
従来の締緩工具用ソケットには、上述したような強度面の問題があり、また材質を変更しようとすると製造コストの増大につながるという問題があった。
【０００５】
本発明はこのような問題点に鑑みてなされたものであり、丈夫でかつ製造コストを抑えられる締緩工具用ソケットを提供することを目的とする。
【課題を解決するための手段】
【０００６】
本発明は、締緩工具に用いられるソケットにおいて、金属製のソケット部であって、前記締緩工具の前記回転部と嵌合して、前記回転部と共に回転可能とする回転部受容口を有する工具接続部と、留め具と嵌合して、前記留め具と共に回転可能とする留め具受容口を有する留め具受容部とを有するソケット部と、前記ソケット部の前記留め具受容部に外嵌される金属製の補強リングとを備えたことを特徴とする。
【０００７】
また、本発明は、前記ソケット部と前記補強リングとはそれぞれかみ合う嵌合面を有することを特徴とする。
【０００８】
また、本発明は、前記ソケット部の前記留め具受容部は、径方向の外側に広がる環状の大ショルダー面を形成するフランジと、前記大ショルダー面と対面する環状の小ショルダー面を形成する円錐台形状中間部を有し、前記補強リングは、その端部が前記大ショルダー面に当接し、前記補強リングは、前記ソケット部の前記円錐台形状中間部と嵌合する、円錐台形状の中間部を画成する中央孔を有し、この中央孔の前記円錐台形状中間部の終端を定める環状のショルダー面であって、前記ソケット部の小ショルダー面に当接して当該補強リングが前記ソケット部から脱落することを防ぐ環状のショルダー面を有することを特徴とする。
【０００９】
また、本発明は、前記補強リングは、前記中央孔のうち、前記ソケット部の前記大ショルダー面に近い側の内側端部を定める円錐台形状のガイド面を有し、前記中央孔の前記内側端部は前記大ショルダー面に近づくにつれて徐々にその直径が大きくなるように形成され、前記補強リングが前記ソケット部の前記留め具受容部に外嵌しやすくしていることを特徴とする。
【００１０】
また、本発明は、前記ソケット部の前記留め具受容部の前記円錐台形状中間部は、前記大ショルダー面に近づくにつれて徐々にその直径が大きくなるように形成されていることを特徴とする。
【００１１】
また、本発明は、前記小ショルダー面は前記ソケット部の前記留め具受容部の前記円錐台形状中間部の大ショルダー面から離れた側の端部に設けられたことを特徴とする。
【００１２】
また、本発明は、前記小ショルダー面は前記ソケット部の前記留め具受容部の前記円錐台形状中間部の大ショルダー面側端部に設けられたことを特徴とする。
【００１３】
また、本発明は、前記補強リングと前記ソケット部とはそれぞれ別の金属材質からなることを特徴とする。
【００１４】
また、本発明は、前記ソケット部の前記留め具受容部の前記円錐台形状中間部の軸方向の長さは０．０５ｍｍから０．１ｍｍの間にあることを特徴とする。
【００１５】
また、本発明は、前記締緩工具の回転部は、ばねによって付勢されたボールを備え、前記ソケット部の前記工具接続部は、その外表面に前記付勢されたボールを受容するためのボール受容口を少なくとも一つ備えたことを特徴とする。
【発明の効果】
【００１６】
本発明によると、丈夫でかつ製造コストを抑えられる締緩工具用ソケットを提供することができる。
【図面の簡単な説明】
【００１７】
【図１】本発明にかかる締緩工具用ソケットの第一の実施形態を示す斜視図である。
【図２】第一の実施形態の締緩工具用ソケットの組立断面図である。
【図３】第一の実施形態の締緩工具用ソケットの分解断面図である。
【図４】第一の実施形態の締緩工具用ソケットのソケット部と補強リングの嵌合面を示す部分組立断面図である。
【図５】本発明にかかる締緩工具用ソケットの第二の実施形態を示す部分組立断面図である。
【図６】本発明にかかる締緩工具用ソケットの第三の実施形態を示す部分組立断面図である。
【図７】第三の実施形態の締緩工具用ソケットのソケット部の留め具受容部の円錐台形状中間部を示す部分組立断面図である。
【図８】従来の締緩工具、締緩工具用ソケット、ボルトを示す分解斜視図である。
【発明を実施するための形態】
【００１８】
以下、各図面を参照して本発明の実施形態について説明する。なお、同一構成及び機能を有する構成要素については、同一番号を付してその説明を省略する。
【００１９】
（第一の実施形態）
図１に本発明の第一の実施形態の締緩工具用ソケットを示す。このソケットはソケットレンチや空気動力工具、電動工具、自動装置などの締結工具（図示せず）により回転させられ、ボルトやナットなどの留め具を回転させるものである。締緩工具は非円形、例えば略長方形状の断面を有する回転部を有する。このソケットはソケット部３と補強リング４とからなっている。
【００２０】
更に、図２、図３、図４を参照して、以下の通り説明する。ソケット部３は金属からなり、工具接続部３１と留め具受容部３２を有している。工具接続部３１は上述したような締緩工具（図示せず）により回転させられるものであり、内表面３１１と外表面３１２を有している。内表面３１１は非円形、例えば略長方形状の断面を有する回転部受容口３１３を定める。二つのボール受容口３１４が内表面３１１から外表面３１２へとのび、締緩工具の回転部に設けられたばねで付勢されたボールを受容するようになっている。
【００２１】
留め具受容部３２は、留め具を回転させるためのものであり、内表面３２１と外表面３２２を有し、またこれら内表面３２１と外表面３２２をつなぐ端面３２３を有している。内表面３２１は略六角形状の断面を有する留め具受容口３２９を定める。留め具受容部３２は更に、径方向の外側に広がる環状の大ショルダー面３２５を形成するフランジ３２４と、この大ショルダー面３２５と対面する環状の小ショルダー面３２７を形成する円錐台形状中間部３２６を有する。この円錐台形状中間部３２６は、大ショルダー面３２５に近づくにつれて徐々にその直径が大きくなっている。本実施形態において、小ショルダー面３２７は円錐台形状中間部３２６の大ショルダー面３２５から離れた側の端部に設けられ、円錐台形状中間部３２６と大ショルダー面３２５の間の距離は、円錐台形状中間部３２６と端面３２３との間の距離よりも大きくなっている。ソケット部３の留め具受容部３２の円錐台形状中間部３２６の軸方向の長さは０．０５ｍｍから０．１ｍｍの間にあることが好ましい。
【００２２】
補強リング４は金属材質で製造されている。本実施形態においては、補強リング４の材質はソケット部３とは異なる材質である。実際には補強リング４の硬さはソケット部３の硬さよりも硬くなっている。補強リング４はソケット部３の留め具受容部３２の外表面３２２に当接する内表面４１と、ソケット部３の端面３２３に沿った外端面４２と、外端面４２と反対側にありソケット部３の大ショルダー面３２５に当接する内端面４３とを有している。
【００２３】
内表面４１は、ソケット部３の円錐台形状中間部３２６と嵌合する、円錐台形状中間部４１１を有する中央孔４９を定めている。これにより、ソケット部３と補強リング４にはそれぞれかみ合う嵌合面が設けられている。補強リング４はさらに、円錐台形状中間部４１１の端を定め、ソケット部３の小ショルダー面３２７に当接する、環状のショルダー面４１２を有している。
【００２４】
内端面４３とショルダー面４１２がそれぞれ大ショルダー面３２５、小ショルダー面３２７に当接しているため、補強リング４がソケット部３から脱落することを防ぐことができる。
【００２５】
補強リング４はさらに、中央孔４９のうち、ソケット部３の大ショルダー面３２５に近い側の内端部を定める円錐台形状ガイド面４１３を有している。中央孔４９の内端部の直径は大ショルダー面３２５に近づくにつれて徐々に大きくなっており、これによってソケット部３の留め具受容部３２に補強リング４を外嵌しやすくなっている。
【００２６】
（第二の実施形態）
図５に本発明の第二の実施形態を示す。第二の実施形態は、円錐台形状中間部３２６と大ショルダー面３２５との間の距離が、円錐台形状中間部３２６と端面３２３との間の距離よりも小さくなっている点が第一の実施形態と異なっている。
【００２７】
（第三の実施形態）
図６及び図７に本発明の第三の実施形態を示す。第三の実施形態は、小ショルダー面３２７が、円錐台形状中間部３２６のうち大ショルダー面３２５側端部に設けられている点が第二の実施形態と異なっている。
【００２８】
上述したように、本発明の締緩工具用ソケットには以下のような利点がある。
【００２９】
第一に、補強リング４の補強効果により、締緩工具の使用中における、ソケット部３の留め具受容部３２の内表面３２１にある角３２０の損耗を軽減することができ、耐久性を向上できる。
【００３０】
第二に、補強リング４は、締緩工具の使用中のソケット部３の留め具受容部３２の変形を抑制するため、高硬度金属材料で作られている。締緩工具の製造コストを軽減するため、ソケット部３は補強リング４の材料よりも若干硬度の低い金属材料でつくられる。また、これにより、補強リング４をソケット部３に外嵌しやすくなる。
【００３１】
第三に、ソケット部３の外表面と補強リング４の色として異なる二色を使うことにより、締緩工具の外観を良くすることができる。
【００３２】
本発明について以上の通り説明したが、本発明はこれらの実施形態に限られるものではなく、すべての修正や同様の形態を包含するように、最も広い解釈の精神と範囲内の様々な形態を含んでいると理解すべきものである。
【符号の説明】
【００３３】
３      ソケット部
３１    工具接続部
３１１  内表面
３１２  外表面
３１３  回転部受容口
３１４  ボール受容口
３２    留め具受容部
３２０  角
３２１  内表面
３２２  外表面
３２３  端面
３２４  フランジ
３２５  環状大ショルダー面
３２６  円錐台形状中間部
３２７  環状小ショルダー面
３２９  留め具受容口
４      補強リング
４１    内表面
４１１  円錐台形状中間部
４１２  ショルダー面
４１３  円錐台形状ガイド面
４２    外端面
４３    内端面
４９    中央孔
【図１】
2011093088.tif 000003
【図２】
2011093088.tif 000004
【図３】
2011093088.tif 000005
【図４】
2011093088.tif 000006
【図５】
2011093088.tif 000007
【図６】
2011093088.tif 000008
【図７】
2011093088.tif 000009
【図８】
2011093088.tif 000010